(57)【要約】【課題】セグメント基板１０上のコモン端子１４と、コモン基板２０上のコモン電極線２１とを、コモン移転部４０において接続するようにした単純マトリクス型の液晶表示パネルにおいて、狭端子ピッチ化に対し、十分なコモン転移面積を確保してコモン半断およびコモン断線の発生を抑えられるようにする。【解決手段】コモン転移部４０を、表示領域３０の水平方向両側方にそれぞれ位置する２つの表示域外領域に配置する。【選択図】  図１
2004205680.tif 000002
【特許請求の範囲】
【請求項１】
縦方向に延びかつ横方向に並ぶストライプ状に形成された複数の第１電極線を有する第１基板と、
横方向に延びかつ縦方向に並ぶストライプ状に形成された複数の第２電極線を有し、該複数の第２電極線が前記複数の第１電極線と交差して表示領域を形成するように前記第１基板に対向配置された第２基板とを備え、
前記表示領域の縦方向両側および横方向両側にそれぞれ位置する４つの表示域外領域のうち、縦方向一側の表示域外領域は、該表示域外領域内の前記第１基板上に、前記複数の第１電極線にそれぞれ接続された複数の第１端子と、前記複数の第２電極線にそれぞれ対応する複数の第２端子とが設けられてなる端子部領域とされ、
前記第１基板および前記第２基板間に、各々、相対応する前記第２端子と前記第２電極線とを互いに接続する複数の転移部が設けられた液晶表示パネルであって、
前記複数の転移部のうち、少なくとも一部の転移部は、前記表示領域の横方向両側方の２つの表示域外領域のうち、少なくとも横方向一側方の表示域外領域に配置されていることを特徴とする液晶表示パネル。
【請求項２】
請求項１記載の液晶表示パネルにおいて、複数の転移部のうち、全部の転移部は、表示領域の横方向両側方の２つの表示域外領域のうち、少なくとも横方向一側方の表示域外領域に配置されていることを特徴とする液晶表示パネル。
【請求項３】
請求項１記載の液晶表示パネルにおいて、複数の転移部のうち、一部の転移部は、前記表示領域の横方向両側方の２つの表示域外領域にそれぞれ配置されている一方、残部の転移部は、端子部領域に配置されていることを特徴とする液晶表示パネル。
【請求項４】
請求項３記載の液晶表示パネルにおいて、複数の転移部のうち、縦方向における端子部領域とは反対の側に位置する第２電極の転移部は、前記表示領域の横方向両側方の２つの表示域外領域にそれぞれ配置されている一方、縦方向における端子部領域の側に位置する第２電極の転移部は、該端子部領域に配置されていることを特徴とする液晶表示パネル。
【請求項５】
請求項１，２，３又は４記載の液晶表示パネルにおいて、各転移部の面積が、８００００μｍ2 以上であることを特徴とする液晶表示パネル。
【発明の詳細な説明】
【０００１】
【発明の属する技術分野】
本発明は、携帯用表示素子などとして用いられる単純マトリクス型の液晶表示パネルに関し、特に狭端子間ピッチ化に伴うコモン半断ないしコモン断線や、狭額縁化に伴うグラデーション表示時の輝度むらなどの不具合を回避する対策に関する。
【０００２】
【従来の技術】
一般に、図８の全体構成の平面図に模式的に示すように，セグメント電極線５１，５１，…を有するセグメント基板５０（図９の平面図参照）と、コモン電極線６１，６１，…を有するコモン基板６０（セグメント基板５０側から見た平面図である図１０参照）とが貼り合わされてなる液晶表示パネルにおいて、セグメント電極線５１，５１，…の外部接続用端子であるセグメント端子５２，５２，…と、コモン電極線６１，６１，…の外部接続端子であるコモン端子６２，６２，…とを、表示域外領域におけるセグメント基板５０上の端子部５３内に配置することで、パネル作成後の実装工程における作業を簡略化できるようにすることは、例えば特許文献１などに記載されている。
【０００３】
ここで、セグメント基板５０側のコモン端子６２，６２，…と、コモン基板６０側のコモン電極線６１，６１，…との間で信号を伝達できるようにするための技術を詳しく説明する。表示領域７０の横方向両側方（図８の左右両側方）に位置する２つの表示域外領域内のコモン基板上には、それぞれ、コモン端子６２，６２，…とコモン電極線６１，６１，…とを接続するための引回し配線７１，７１，…が設けられており、各引回し線７１は、一端部がコモン電極線６１に接続されている一方、他端部が転移部８０においてコモン端子６２に接続されている。この両基板５０，６０間における信号の伝達は、一般に、セグメント基板５０側からコモン基板６０側に行われることから、この転移部８０は、コモン転移部と呼ばれている。
【０００４】
このようなコモン転移部８０は、一般に、セグメント基板５０とコモン基板６０とを表示領域７０周りの額縁状の領域においてシール材により貼り合わせる際に、そのシール材料中に低抵抗導通粒子を一定の割合で混合しておき、コモン転移部８０となる部分の全てを含むようにシール材を印刷した後、引回し配線７１の端部とコモン端子６２の端部とがパネル厚さ方向に対向するように位置決めして両基板５０，６０を貼り合わせることにより形成される。
【０００５】
【特許文献１】
特開２００１-２６４７９６号公報（第５頁，図２および図３）
【０００６】
【発明が解決しようとする課題】
ところで、近年では、液晶表示パネルは、狭端子ピッチ化間および狭額縁化が強く求められている。
【０００７】
しかしながら、従来の液晶表示パネルでは、狭端子間ピッチ化に伴い、リークを回避するべく、引回し配線の配線幅が小さくなってコモン転移面積（配線幅×シール幅）が減少し、確率的に十分な導通を得ることができず、接触抵抗の違いによる輝度むら（コモン半断）や、接触不良により電極線に信号が印可されない（コモン断線）などの不良が発生しやすくなる。
【０００８】
また、狭額縁化に伴い、引回し配線のファインピッチ化により配線抵抗が増大して配線間の抵抗値の差が拡大し、このために、パネル面内での液晶分子に印加される実行電圧に差が生じてグラデーションなどの表示品位上の問題を招いたり、配線間ピッチが小さすぎることに起因するクロストークなどの問題を招く虞れもある。
【０００９】
尚、配線抵抗の問題に対しては、引回し配線として、抵抗の低いメタル配線と、メタル保護用透明電極線とを積層させた構造のものにすることが行われているが、この場合には、フォトリソグラフィ工程の増加または同時エッチング時のエッチング条件の制約など、別の問題を招くことになる。
【００１０】
本発明は、斯かる諸点に鑑みてなされたものであり、その主な目的は、セグメント基板上の端子部領域に配置されたコモン端子と、コモン基板上のコモン電極線とを、コモン移転部において接続するようにした単純マトリクス型の液晶表示パネルにおいて、転移部の配置に見直しを加えることで、コモン転移面積を十分に確保して狭端子ピッチ化に対応できるようにし、さらには、引回し配線の配線幅および配線間ピッチを十分に確保して狭額縁化にも対応できるようにすることにある。
【００１１】
【課題を解決するための手段】
上記の目的を達成すべく、本発明では、従来の場合には端子部に全てが配置されているコモン転移部の少なくとも一部を、表示領域の横方向側方に位置する表示域外領域に配置することとし、これにより、コモン転移面積を十分に確保して狭端子ピッチ化に対応することができ、さらには、一部のみを前記表示域外領域に配置する場合には、それに伴って、引回し配線がセグメント基板およびコモン基板に振り分けられることで、引回し配線の配線幅および配線ピッチを十分に確保して狭額縁化にも対応することができるようにした。
【００１２】
具体的には、請求項１の発明では、縦方向に延びかつ横方向に並ぶストライプ状に形成された複数の第１電極線を有する第１基板と、横方向に延びかつ縦方向に並ぶストライプ状に形成された複数の第２電極線を有し、該複数の第２電極線が前記複数の第１電極線と交差して表示領域を形成するように前記第１基板に対向配置された第２基板とを備えており、前記表示領域の縦方向両側および横方向両側にそれぞれ位置する４つの表示域外領域のうち、縦方向一側の表示域外領域は、該表示域外領域内の前記第１基板上に、前記複数の第１電極線にそれぞれ接続された複数の第１端子と、前記複数の第２電極線にそれぞれ対応する複数の第２端子とが設けられてなる端子部領域とされており、前記第１基板および前記第２基板間には、各々、相対応する前記第２端子と前記第２電極線とを互いに接続する複数の転移部が設けられた液晶表示パネルを前提としている。
【００１３】
そして、前記複数の転移部のうち、少なくとも一部の転移部は、前記表示領域の横方向両側方の２つの表示域外領域のうち、少なくとも横方向一側方の表示域外領域に配置されているものとする。
【００１４】
この発明では、複数の転移部のうち、少なくとも一部の転移部が、端子部領域以外の表示域外領域に配置されているので、従来のように全ての転移部が端子部領域に配置される場合に比べて、前記表示域外領域に配置された転移部の分だけ、各転移部の面積を広く確保することができるようになる。よって、端子間ピッチが狭い場合でも、転移部の面積が狭すぎることに起因して発生する転移部での半断・断線は回避されることとなる。
【００１５】
また、液晶表示パネルが、カラーフィルタ層，光反射層，光拡散層などの手段を備えたものである場合には、一般に、それらの手段は、端子部の配置されていない第２基板に設けられるようになされており、その際に、従来のように引回し配線を第２基板側に配置するとすれば、引回し配線の形成温度を高くできないのに対し、本発明では、引回し配線が第１基板側に配置されることで、引回し配線の形成温度を高くすることができ、高密度な低抵抗の引回し配線を形成することができる。よって、その分だけ、狭額縁化に伴う引回し配線抵抗の増大が抑えられるので、半断・断線を招かずに狭端子間ピッチ化に対応できることに加え、液晶表示パネルが、カラーフィルタ層，光反射層，光拡散層などの手段を備えたものである場合には、引回し配線抵抗の増大を伴わずに、またフォトリソグラフィ工程や、同時エッチング時のエッチング条件の制約などの問題を招くことなく、狭額縁化に対応できる。
【００１６】
ここで、上述の引回し配線の形成温度とは、例えば、引回し配線となるＩＴＯなどの配線材料のスパッタリング温度であり、この温度が高いほど配線材料の面抵抗値が低くなるのである。そして、その結果、パターニングされた引回し配線の抵抗値も低くなるのである。
【００１７】
請求項２の発明では、請求項１の発明において、複数の転移部のうち、全ての転移部が、表示領域の横方向両側方の２つの表示域外領域のうち、少なくとも横方向一側方の表示域外領域に配置されているものとする。
【００１８】
この発明では、全ての転移部が、端子部領域以外の表示域外領域に配置されているので、請求項１の発明での作用は具体的にかつ適正に営まれる。
【００１９】
請求項３の発明では、請求項１の発明において、複数の転移部のうち、一部の転移部は、前記表示領域の横方向両側方の２つの表示域外領域にそれぞれ配置されている一方、残部の転移部は、端子部領域に配置されているものとする。
【００２０】
この発明では、複数の転移部は、端子部領域以外の表示域外領域と、端子部領域とに分かれて配置される。これに伴い、端子部領域以外の表示域該領域の転移部については、転移部と第２電極線との間に引回し配線が設けられることになり、これら引回し配線は、第２基板側に配置される。一方、端子部領域の転移部については、第２端子と転移部との間に引回し配線が設けられることになり、これら引回し配線は、第１基板側に配置される。このように、引回し線が２つの基板に振り分けて配置されるので、例えば従来のように引回し配線が第１基板上にのみ配置されるなど、引回し配線が一方の基板上にのみ配置される場合に比べて、引回し配線の配置される表示域外領域内における基板上での引回し配線数が減少するので、その分だけ、引回し配線の配線幅および配線ピッチを大きくできるようになる。
【００２１】
請求項４の発明では、請求項３の発明において、複数の転移部のうち、縦方向における端子部領域とは反対の側に位置する第２電極の転移部は、前記表示領域の横方向両側方の２つの表示域外領域にそれぞれ配置されている一方、縦方向における端子部領域の側に位置する第２電極の転移部は、該端子部領域に配置されているものとする。
【００２２】
この発明では、端子部領域に対する第２電極線の縦方向位置に基づいて、転移部がグループ分けされる。そして、第２電極線が端子部領域とは反対の側に位置する転移部は、端子部領域以外の表示域外領域に配置され、一方、第２電極線が端子部領域の側に位置する転移部は、端子部領域に配置される。よって、請求項３の発明での作用は具体的に営まれることとなる。
【００２３】
請求項５の発明では、請求項１〜４の発明において、各転移部の面積Ｓが、Ｓ≧８００００μｍ2 とされているものとする。
【００２４】
この発明において、転移部の面積Ｓが、８００００μｍ2 未満（Ｓ＜８００００μｍ2 ）であると、第２電極線と第２端子との間の十分な導通が得られない。よって、各転移部の面積Ｓが、Ｓ≧８００００μｍ2 であることにより、第２電極線および第２端子間の十分な導通が得られるようになる。
【００２５】
【発明の実施の形態】
以下、本発明の実施形態を、図面に基づいて説明する。
【００２６】
（実施形態１）
図１は、本発明の実施形態１に係る液晶表示パネルの全体構成を模式的に示している。
【００２７】
この液晶表示パネルは、第１基板としてのセグメント基板１０と、このセグメント基板に対向配置された第２基板としてのコモン基板２０と、これらセグメント基板１０およびコモン基板２０間に配置された図外の液晶層とを備えている。また、コモン基板２０には、カラー表示のためのカラーフィルタ層（図示せず）が設けられている。
【００２８】
セグメント基板１０上には、コモン基板２０側から見た平面図である図２に模式的に示すように、複数（例えば、１６０本）の第１電極線としてのセグメント電極線１１，１１，…が、垂直方向（同図の上下方向）に延びかつ水平方向（同図の左右方向）に並ぶストライプ状に形成されている。一方、コモン基板２０上には、セグメント基板１０側から見た平面図である図３に模式的に示すように、複数（例えば、１６０本）のコモン電極線２１，２１，…が、垂直方向（同図の左右方向）に延びかつ水平方向（同図の上下方向）に並ぶストライプ状に形成されている。これらセグメント電極線１１，１１，…とコモン電極線１２，１２，…との交差する領域は、表示領域３０とされている。また、セグメント基板１０とコモン基板２０とは、表示領域３０の周りを額縁状に取り囲む領域において、図外のシール材により気密状に貼り合わされている。
【００２９】
表示領域３０の垂直方向両側方および水平方向両側方にそれぞれ位置する４つの表示域外領域のうち、垂直方向一側方（図１の下方）の表示域外領域は、該表示域外領域内のセグメント基板１０上に端子部１２が設けられてなる端子部領域とされている。端子部１２の水平方向中間部分には、複数の第１端子としてのセグメント端子１３，１３，…が配置されており、端子部１２の水平方向両側部分（同図の左右方向両側部分）には、それぞれ、複数の第２端子としてのコモン端子１４，１４，…が互いに同数ずつになるように分けて配置されている。各セグメント端子１３と、該セグメント端子１３に対応するセグメント電極線１１とは、セグメント基板１０上に形成された複数の引回し配線１５，１５，…により互いに接続されている。
【００３０】
また、上記のシール材中には、各コモン端子１４と、該コモン端子１４に対応するコモン電極線２１とをセグメント基板１０およびコモン基板２０間において互いに接続するための１６０のコモン転移部４０，４０，…が設けられている。
【００３１】
そして、本実施形態では、全てのコモン転移部４０，４０，…は、それぞれ、表示領域３０の水平方向両側方（図１の左右方向両側方）に位置する表示域外領域におけるシール材中に配置されている。
【００３２】
具体的には、全てのコモン転移部４０，４０，…のうち、垂直方向における端子部領域とは反対の側（図１および図３の各上側）に位置するコモン電極線２１，２１，…に対応する半数のコモン転移部４０，４０，…は、表示領域３０の水平方向一側方（図１の右側方）の表示域外領域におけるシール材中に配置されており、一方、垂直方向における端子部領域の側（図１および図３の各下側）の位置するコモン電極線２１，２１，…に対応する残りのコモン転移部４０，４０，…は、表示領域３０の水平方向他側方（図１の左側方）の表示域外領域におけるシール材中に配置されている。
【００３３】
また、各コモン端子１４と、該コモン端子１４に対応するコモン電極線２１の端部との間には、それぞれ、引回し配線１５，１５，…が設けられている。これら引回し配線１５，１５，…は、セグメント基板１０上において、一端部がコモン端子１４に接続される一方、他端部がコモン電極線２１の端部にパネル厚さ方向において相対向するように設けられている。そして、図４の断面図に示すように、各引回し配線１５の他端部と、コモン電極線２１の端部との間には、複数の低抵抗導通粒子４１，４１，…が両端部同士を導通させるように配置されており、これらのことで、各コモン転移部４０が形成されている。尚、低抵抗導通粒子４１，４１，…は、例えば、金属メッキの施されたプラスチックビーズからなっていて、セグメント基板１０とコモン基板２０とがシール材により貼り合わされる際に、該シール材中に所定の割合で混合されるようになっている。
【００３４】
さらに、上記の引回し配線１５，１５，…は、高い温度で高密度に形成さており、このことで、コモン基板２０側に配置される場合の引回し配線に比べて、配線抵抗が低くなされている。
【００３５】
したがって、本実施形態によれば、セグメント基板１０上の端子部領域に配置されたコモン端子１４，１４，…と、コモン基板２０上のコモン電極線２１，２１，…とを、それぞれ、コモン移転部４０，４０，…において接続するようにした単純マトリクス型の液晶表示パネルにおいて、従来の場合には端子部領域に全てが配置されているコモン転移部４０，４０，…の全部を、それぞれ、表示領域の水平方向両側方に位置する２つの表示域外領域に半分ずつ配置するようにしたので、上記従来の場合に比べて、各コモン転移部４０の面積を広く取ることができ、よって、コモン転移面積の不十分さに起因するコモン半断・コモン断線の発生を回避して狭端子間ピッチ化に対応することができる。
【００３６】
また、引回し配線１５，１５，…がセグメント基板１０側に形成されることから、コモン基板２０側のカラーフィルタ層に熱による悪影響を及ぼすことなく、引回し配線１５，１５，…を高い温度で形成して低抵抗化することができるので、その分だけ、狭額縁化に伴う引回し配線抵抗の増大を回避することができ、そのような配線抵抗の増大により生じる絵素間での実行印加電圧の差を小さく抑えることができる。よって、半断・断線を招かずに狭端子間ピッチ化に対応できることに加え、引回し配線抵抗の増大によるグラデーション表示時の輝度むらを防止して狭額縁化に対応することもできる。
【００３７】
尚、上記の実施形態では、全てのコモン転移部４０，４０，…を、端子部領域以外の２つの表示域外領域にそれぞれ半分ずつ分けて配置するようにしているが、端子部領域以外の１つの表示域外領域のみに配置するようにしてもよく、また、複数の表示域外領域に振り分ける場合でも、各表示域外領域に配置されるコモン転移部４０，４０，…の数は任意である。
【００３８】
また、上記の実施形態では、コモン基板１０にカラーフィルタ層が設けられている場合について説明しているが、本発明は、カラーフィルタ層の他、光反射層や光拡散層などの手段がコモン基板１０に設けられている場合にも適用することができるのは勿論、そのような手段がコモン基板１０に設けられていない場合にも適用することができる。
【００３９】
（実施形態２）
図５は、本発明の実施形態２に係る液晶表示パネルの全体構成を模式的に示す平面図であり、実施形態１の場合と同じ部分には同じ符号を付して示している。
【００４０】
本実施形態では、全てのコモン転移部４０，４０，…のうち、一部のコモン転移部４０，４０，…は、表示領域３０の水平方向両側方（図５の左右方向両側方）の２つの表示域外領域にそれぞれ配置されており、一方、残部のコモン転移部４０，４０，…は、セグメント基板１０上の端子部１２の位置する端子部領域に配置されている。
【００４１】
具体的には、コモン電極線２１，２１，…は、４つのグループに分けられている。つまり、先ず、垂直方向（図５の上下方向）における端子部領域とは反対の側（同図の上側）に位置するコモン電極線２１，２１，…と、端子部領域の側（同図の下側）に位置するコモン電極線２１，２１，…とに大きく分けられている。次に、端子部領域とは反対の側のコモン電極線２１，２１，…は、さらに、端子部領域とは反対の側（同図の上側）に位置する第１グループのコモン電極線２１，２１，…と、端子部領域の側（同図の下側）に位置する第２グループのコモン電極線２１，２１，…とに分けられており、また、端子部領域の側のコモン電極線２１，２１，…は、端子部領域とは反対の側（同図の上側）に位置する第３グループのコモン電極線２１，２１，…と、端子部領域の側（同図の下側）に位置する第４グループのコモン電極線２１，２１，…とに分けられている。
【００４２】
そして、第１グループの各コモン電極線２１のコモン転移部４０は、表示領域３０の水平方向一側方（図５の右方）の表示域外領域に配置されており、第２グループの各コモン電極線２１のコモン転移部４０は、表示領域３０の水平方向他側方（同図の左方）の表示域外領域に配置されている。これら表示域外領域の各コモン転移部４０の構造は、実施形態１の場合（図４参照）と同様である。
【００４３】
また、第３グループの各コモン電極線２１のコモン転移部４０は、端子部領域内におけるセグメント端子１３，１３，…群の水平方向一側方（同図の右方）の部分に配置されており、第４グループの各コモン電極線２１のコモン転移部４０は、端子部領域内におけるセグメント端子１３，１３，…群の水平方向他側方（同図の左方）の部分に配置されている。図６に、端子部領域内のコモン転移部４０の断面を示す。
【００４４】
これに伴い、第１および第３グループでは、コモン転移部４０とコモン端子１４との間に引回し配線１６が設けられており、第１グループの各引回し配線１６は、水平方向一側方の表示域外領域におけるセグメント基板１０上に、また、第３グループの各引回し配線１６は、水平方向他側方の表示域外領域におけるセグメント基板１０上に、それぞれ配置されている。一方、第２及び第４グループでは、コモン転移部４０とコモン電極線２１との間に引回し配線１６が配置されており、第２グループの各引回し配線１６は、水平方向一側方の表示域外領域におけるコモン基板２０上に、また、第４グループの各引回し配線１６は、水平方向他側方の表示域外領域におけるコモン基板２０上に、それぞれ配置されている。
【００４５】
したがって、本実施形態によれば、セグメント基板１０上の端子部領域に配置されたコモン端子１４，１４，…と、コモン基板２０上のコモン電極線２１，２１，…とを、それぞれ、コモン移転部４０，４０，…において接続するようにした単純マトリクス型の液晶表示パネルにおいて、従来の場合には端子部領域に全てが配置されるコモン転移部４０，４０，…のうち、１／４のコモン転移部４０，４０，…を、表示領域３０の水平方向一側方の表示域外領域に、また、他の１／４のコモン転移部４０，４０，…を、表示領域の水平方向他側方の表示域外領域にそれぞれ配置するようにしたので、上記従来の場合に比べれば、コモン転移面積を広く取ることができ、よって、狭端子ピッチ化に拘わらず、コモン転移面積の不十分さに起因するコモン半断・コモン断線の発生を回避することができるのみならず、引回し配線１６，１６，…を、セグメント基板１０上と、コモン基板２０上とに振り分けて配置することができるので、全ての引回し配線がセグメント基板およびコモン基板のうちの何れか一方のみに配置される場合に比べて、各表示域外領域における各基板１０，２０上の引回し配線１６，１６，…の本数が少なくて済み、よって、引回し配線１６の配線幅が狭すぎることに起因する配線抵抗の増大や、引回し配線１６の配線間ピッチが不十分であることに起因するクロストークを招くことなく、狭額縁化に対応することができる。
【００４６】
尚、上記の実施形態では、コモン転移部４０，４０，…の一部を２つの表示域外領域に分けて配置する際に、端子部領域とは反対の側に位置するコモン電極線２１，２１，…の各コモン転移部４０を一方の表示域外領域に、また、端子部領域側に位置するコモン電極線２１，２１，…の各コモン転移部４０を他方の表示域外領域にそれぞれ分けるようにしているが、この分け方は任意であり、例えば、図７に示す変形例のように、コモン電極線２１，２１，…の並び順に基づいて交互に振り分けるようにすることもできる。
【００４７】
−実験例−
上記各実施形態１（図１参照），実施形態２（図５参照），およびその変形例（図７参照）に係る３種類の各液晶表示パネルを、それぞれ、実施例１，実施例２，実施例３とし、これらを用いて行った半断線・グラデーションの各項目での実験について説明する。
【００４８】
セグメント基板およびコモン基板の大きさおよび形状は、４０×４０ｍｍの方形状であり、セグメント端子およびコモン端子は、各本数がそれぞれ１６０本である狭端子間ピッチとした。また、額縁（表示域外領域）は、原則的に幅が３ｍｍである狭額縁とし、表示域外領域におけるシール幅は、原則的に１０００μｍとした。
【００４９】
そして、コモン転移部におけるコモン電極線および引回し配線の各線の幅については、実施例１では、２００μｍ，実施例２および実施例３では、共に、８０μｍをそれぞれ確保することができ、その結果、コモン転移面積（線幅×シール幅）は、実施例１では、２０００００μｍ2 ，実施例２および実施例３では、共に、８００００μｍ2 （端子部）であった。
【００５０】
また、比較のために、実施例１において、全てのコモン転移部が端子部領域内に配置された比較例１〜比較例３の３種類の液晶表示パネルを作成した。具体的には、コモン転移部における線幅については、比較例１では、３０μｍ，比較例２では、２０μｍ，比較例３では、１００μｍとした。また、比較例３では、額縁幅およびシール幅について、それぞれ、例外的に、６ｍｍおよび２０００μｍとした。これらの結果、コモン転移面積は、比較例１では、３００００μｍ2 ，比較例２では、４００００μｍ2 ，比較例３では、１０００００μｍ2 となった。また、これら比較例１〜比較例３では、コモン端子とコモン電極線との間の引回し配線は、コモン基板側に配置されているために、熱によるカラーフィルタ層への悪影響を考慮する観点から、実施例１の場合よりも低い温度で形成されている。
【００５１】
以上の実施例１〜実施例３および比較例１〜比較例３の結果を、次の表に併せて示す。
【００５２】
【表１】
2004205680.tif 000003
【００５３】
実施例１では、コモン半断線は全く発生しなかった。これは、コモン転移面積が大きいため上下基板間を導通する低抵抗導通粒子の接触が十分確保されているからであると考えられる。また、グラデーションの表示輝度むらについても問題はなかった。これは、引回し配線の抵抗値が十分に小さいからであると考えられる。つまり、狭端子間ピッチ・狭額縁であるにも拘わらず、表示品位は極めて良好である。
【００５４】
実施例２および実施例３では、コモン半断線は全く発生せず、グラデーションについても問題はなかった。これは、半数のコモン転移部がコモン電極線の端部に位置しているとともに、引回し配線がセグメント基板およびコモン基板の両方に振り分けられていることで、端子間ピッチおよび額縁が共に狭いにも拘わらず、コモン転移および引回し配線に十分な線幅が得られたからであると考えられる。
【００５５】
一方、比較例１では、コモン半断線が約４０％発生した。これは、コモン転移面積が小さく、確率的に低抵抗導通粒子の接触が十分に確保されていないからであると考えられる。また、グラデーションについては、きつい表示輝度むらが認められた。これは、狭額縁化に伴い、引回し配線の幅が狭くなって配線抵抗が増大しているからであると考えられる。
【００５６】
比較例２では、コモン半断線が約２０％発生した。また、グラデーションについては、きつい表示輝度むらが見られた。
【００５７】
比較例３では、比較例１に比べてコモン半断線が減少し、２％の発生にとどまった。これは、コモン転移面積を大きくしたことによるものであると考えられる。また、グラデーションについても問題はなかった。しかしながら、この比較例３の場合には、額縁幅が他の例の場合の倍（６ｍｍ）であり、よって、狭額縁化には不適である。
【００５８】
【発明の効果】
以上説明したように、本発明によれば、全ての転移部のうちの少なくとも一部を、端子部領域以外の表示域外領域に配置するようにすることで、従来のように全ての転移部が端子部領域に配置されている場合に比べて、広い転移面積を確保することができるので、十分な転移面積が確保できないことに起因する半断・断線を招くことなく、狭端子ピッチ化に対応することができる。
【００５９】
また、全ての転移部のうち、一部の転移部のみを端子部領域以外の２つの表示域外領域にそれぞれ配置する場合には、引回し配線は、第１および第２の２つの基板に振り分けられることになって各表示域外領域における基板上の引回し配線の数を少なくすることができるので、全ての転移部が何れか一方の基板上のみに配置される場合に比べて、引回し配線の配線幅および配線間ピッチを大きくすることができ、よって、パネル面内での液晶分子に印加される実行電圧の差によるグラデーションなどの表示品位上の問題の要因である配線抵抗の増大や、クロストークなどの問題を招くことなく、狭額縁化に対応することができる。
【００６０】
さらに、転移面積を８００００μｍ2 以上にすることにより、各転移部において、第２電極線および第２端子間の十分な導通を得ることができる。
【図面の簡単な説明】
【図１】本発明の実施形態１に係る液晶表示パネルの全体構成を模式的に示す平面図である。
【図２】液晶表示パネルのセグメント基板を模式的に示す平面図である。
【図３】液晶表示パネルのコモン基板を模式的に示す平面図である。
【図４】コモン電極および引回し配線間のコモン転移部を模式的に示す断面図である。
【図５】本発明の実施形態２に係る液晶表示パネルの全体構成を模式的に示す図１相当図である。
【図６】引回し配線およびコモン端子間のコモン転移部を模式的に示す断面図である。
【図７】実施形態３の変形例に係る液晶表示パネルの全体構成を模式的に示す図１相当図である。
【図８】従来の液晶表示パネルの全体構成を模式的に示す図１相当図である。
【図９】液晶表示パネルのセグメント基板を模式的に示す図２相当図である。
【図１０】液晶表示パネルのコモン基板を模式的に示す図３相当図である。
【符号の説明】
１０  セグメント基板（第１基板）
１１  セグメント電極線（第１電極線）
１２  端子部
１３  セグメント端子（第１端子）
１４  コモン端子（第２端子）
２０  コモン基板（第２基板）
２１  コモン電極線（第２電極線）
３０  表示領域
４０  コモン転移部（転移部）
【図１】
2004205680.tif 000004
【図２】
2004205680.tif 000005
【図３】
2004205680.tif 000006
【図４】
2004205680.tif 000007
【図５】
2004205680.tif 000008
【図６】
2004205680.tif 000009
【図７】
2004205680.tif 000010
【図８】
2004205680.tif 000011
【図９】
2004205680.tif 000012
【図１０】
2004205680.tif 000013